(57)【要約】      （修正有）【課題】重複して固定使用する時、密封止め丸枠体の形体と効果が長期的に維持され、且つ吸着面から外す時、操作しやすい重複使用に有利な真空固定具を提供する。【解決手段】真空固定具は、引張部品１０と吸盤部品２０とプレス部品３０と強固定操作部品４０を含む。引張部品のプラスチック金型内に設置した吸盤体２１の盤面部周辺に成形した結合辺部２１２が柔らかい密封止め丸枠体２２を被覆して結合する相互補完作用によって、丸枠体内部で支持を形成し、丸枠体の形体と効果を長期的に維持する。使用しない時には、密封止め丸枠体の外縁部分角箇所に設けた引張片２１４を弾く操作をするだけで、吸盤体内部に直接空気が進入し、真空固定器を吸着面上から剥がすことができる。【選択図】図３
0003209497.tif 000002
【実用新案登録請求の範囲】
【請求項１】
重複使用に有利な真空固定具において、
剛性材で製造され、引桿を備え、該引桿の一端は引板体を成形する引張部品と、
吸盤体及び密封止め丸枠体を含み、該吸盤体は、該引張部品のプラスチック金型内に設置し、フレキシブル弾性高分子材料によって該引張部品の引板体上で射出成型した柔性盤形弾性体は、該引板体を被覆する被覆部を備え、該被覆部の下縁外には盤面部を成形し、該盤面部周辺外縁には結合辺部及び底面に成形する吸着面部を設置し、また、該密封止め丸枠体は該プラスチック金型で、ポリスチレン系弾性体TPS(Thermoplastic Styrene Elastomer)材料を該吸盤体の結合辺部上で二回射出成型した硬度はShore C 20~30度の柔軟高伸長率弾性枠体であり、該結合辺部の表面周辺縁で被覆結合した上枠部、側枠部及び底枠部を備え、且つ該上枠部の上表面には受圧面を成形し、また該底枠部の下表面は該吸盤体の吸着面部の周辺縁外部に密封貼着面を成形する吸盤部品と、
硬質材で製造した高強度カップ形体で、底部は該密封止め丸枠体の受圧面に相対し、該受圧面から該上枠部上で合うプレス面部を設置し、該プレス面部の内縁は，該吸盤体を収納する收納室を形成し、該收納室の上方には該引張部品の引桿を挿入する穿孔を穿設し、該穿孔と該吸盤体の被覆部の間には活動空間を形成するプレス部品と、
該プレス部品の外部上端に当たり、該穿孔外的引張部品の引桿と連接する強固定操作部品を含むことを特徴とする重複使用に有利な真空固定具。
【請求項２】
前記吸盤部品の吸盤体の盤面部外縁に形成した該結合辺部は、逆Ｌ字形体で設置し，該密封止め丸枠体は該結合辺部上で被覆結合し、掛合部を備え、該掛合部が該結合辺部の後縁端面上で掛合して脱離制限を形成することを特徴とする請求項１記載の重複使用に有利な真空固定具。
【請求項３】
前記吸盤部品の吸盤体は、熱可塑性弾性体TPE(Thermoplastic elastomer)材から射出成型した盤形弾性体であり、硬度がShore A 70〜90度の被覆部、盤面部及び結合辺部を備え、該密封止め丸枠体は該結合辺部上で二度射出成型することを特徴とする請求項１記載の重複使用に有利な真空固定具。
【請求項４】
前記密封止め丸枠体の底枠部の下表面は、該密封貼着面から外向きに突出して一個以上の凸体を備えることを特徴とする請求項１記載の重複使用に有利な真空固定具。
【請求項５】
前記吸盤部品の吸盤体盤面部外縁に形成した該結合辺部上には、該密封止め丸枠体の上枠部を通過し、該プレス面部外向きに伸びる引張片を設置することを特徴とする請求項１記載の重複使用に有利な真空固定具。
【請求項６】
前記引張部品の引桿一端は該プレス部品の穿孔から挿入して出し、該引桿の該穿孔の端身部は外ネジ紋部を設置し、且つ該強固定操作部品は回転ノブ形体として設置し、一端は該プレス部品の端部と接触し、内部は該外ネジ紋部の部分と螺合する内ネジ孔を設置することを特徴とする請求項１記載の重複使用に有利な真空固定具。
【請求項７】
前記引張部品の引桿は、該プレス部品の穿孔に挿入し、該挿入端桿体上には枢設孔を設置し、且つ該強固定操作部品は回転ハンドル体形体として設置し、該枢設孔と偏心枢設し、該プレス部品の穿孔外部に接触する偏心輪部を備えることを特徴とする請求項１記載の重複使用に有利な真空固定具。
【請求項８】
前記吸盤部品の吸盤体盤面部背面は、該結合辺部に隣接し、該密封止め丸枠体を同心環状で多数個通過し、該上枠部のプレス凸塊として突出する。且つ該プレス部品の底部のプレス面部内縁は、該多数個のプレス凸塊に相対し、多数個の限定凹槽を設置し、該限定凹槽から該プレス凸塊の一端を入れて定位させることを特徴とする請求項１記載の重複使用に有利な真空固定具。
【考案の詳細な説明】
【技術分野】
【０００１】
本考案は、重複使用に有利な真空固定具に関するもので、重複して固定使用する時、密封止め丸枠体の形体と効果が長期的に維持され、且つ吸着面から外す時、操作しやすく、且つ重複使用に有利な真空固定具に係る。
【背景技術】
【０００２】
通常、タイルの壁もしくはガラス表面上に貼り付けるのにネジもしくは釘掛け、もしくはある物品を固定するものでは、あまり適さない。タコの脚の吸盤の原理に基づいて製造した真空固定器はすでに幅広く応用されている。この種の真空固定器は、小皿を逆さにしたような吸盤を備える。吸盤を平滑表面（例として、ガラスもしくはタイル）上に設置し、更に吸盤の内部の空気が排出されると、吸盤の内部の体積が大きくなり、吸盤の外部圧力（即ち大気圧力）は吸盤の内部圧力よりも高くなる。これにより、大気圧力が吸盤を押し、それによって真空固定器が付着する。
【０００３】
従来の真空固定器には特許文献１のようなものがある。しかしながら、この種の真空固定器は、長時間使用すると、吸盤が硬化し、吸着力に重大な影響を与える。特に付着面にヒビもしくは鋸刃紋があった場合、吸盤は完全な真空壁を形成することが出来ず、付着面に接着できない。
【０００４】
現技術の上述問題を改善するため、従来の真空固定器は特許文献２のようなものがある。この種の真空固定器は吸盤中心上部に設置するネジ桿軸を備え、ネジ桿軸をその中に挿入し、吸盤上部表面の丸天井形圧板を被せ、圧板上部から延びたネジ桿軸と相互に連接する取っ手を用いる。粘着剤を使用し、展延性の粘着剤（例としてシリコン樹脂を接着）が吸盤の吸着面の辺縁上で結合する。
【０００５】
展延性の粘着材によって、吸盤の結合力が向上するのは、良好な試みである。しかしながら、吸盤は主に柔性材で製造されるため、吸盤の中心が圧板の方向に引き上げられ、吸盤の内部体積を拡げた時、吸盤辺縁の形状はおそらく変形もしくは吸着面と付着面の間に軽い滑動が発生する。特に仮に付着面上に鋸刃紋部分があった場合、この現有の技術は理想的な結合力を発揮できない。
【０００６】
その他、従来技術には特許文献３のような真空固定器がある。そのうち、ゲル状ポリウレタンで製造した真空壁は、圧板の底部から圧板の辺縁に沿って付着面の外側に向かって伸び、更に圧板中心に向かって傾斜する圧力面を備えて吸盤の傾斜面と交差して接する。圧板が吸盤の内部を真空状態にする時、付着面上のヒビもしくは鋸刃紋部分はゲル状真空壁で満たされるので、吸盤内部は真空状態を維持できる。しかしながら、真空固定器は付着面上で固定し、長時間固定に限るだけで、更に多くの時、暫時的な固定使用もしくは異なる付着面上での位置交換使用や重複使用の求めがある。上述の公知の真空固定器を付着面から外す場合、ネジ桿固定部品の操作して，吸盤内部体積を広げて回復させる他、外部の空気を吸盤内部に入れてやっと簡易に付着面から真空固定器を外すことができる。ゲル状ポリウレタン製造の真空壁の粘性と高伸長率は，外部空気に対して良好な裁断効果が形成されるものの、伸長後の良好な回復能力的問題を備えないため、重覆した付着面上には切れた事に依る経拡大変形（円形が緩んでしまう）現象が起こり、密封止め効果に影響を与える。特に一部の傾斜圧力面は吸盤の傾斜面（すでに完全に繋がらない）から外れ、空気が吸盤内部に侵入するのを遮断する能力が失われる。有る時は、たとえ一部の真空壁が付着面から離れた動作が完了しても、真空壁内縁に位置する吸盤は付着面上に吸着する状況が変わらずにあり、外部から吸盤の辺縁に触れて付着面から剥がす操作は難しいため、長期的に重複固定するのは面倒で不便である。
【先行技術文献】
【特許文献】
【０００７】
【特許文献１】日本  実用新案登録昭和61-109367号(1986年7月11日公開)
【特許文献２】日本  実用新案登録第3014841号(1995年6月7日授権)
【特許文献３】中国  特許第ZL200480029868.9号
【考案の概要】
【考案が解決しようとする課題】
【０００８】
解決しようとする問題点は、重複して固定使用する時、密封止め丸枠体の形体と効果が長期的に維持しにくく、且つ吸着面から外す時、操作しにくく、且つ重複使用に有利でない点である。
【課題を解決するための手段】
【０００９】
本考案は、吸盤体の盤面部周辺に成形した結合辺部が密封止め丸枠体を被覆して結合する相互補完作用によって、真空固定器が吸着面上において位置交換もしくは新たに固定もしくは異なる吸着面上において重複固定使用する際、結合辺部が柔らかい密封止め丸枠体内部で支持を形成し、密封止め丸枠体の形体と効果を長期的に維持する。特に密封止め丸枠体の密封貼着面を吸着面から離す時、吸盤体の結合辺部を連動し、更に真空固定器を使用しない時には、密封止め丸枠体の外縁部分角箇所を弾く操作をするだけで、吸盤体内部に直接空気が進入し、真空固定器を吸着面上から剥がす過程の操作簡便性が向上することを最も主要な特徴とする。
【考案の効果】
【００１０】
本考案の重複使用に有利な真空固定具は、重複して固定使用する時、密封止め丸枠体の形体と効果が長期的に維持され、且つ吸着面から外す時、操作しやすく、且つ重複使用に有利という利点がある。
【図面の簡単な説明】
【００１１】
【図１】本考案は構造分解立体図である。
【図２】本考案は構造組立立体図である。
【図３】本考案は組立構造断面図である。
【図４】図３のＡ部の構造拡大指示図である。
【図５】本考案は吸着面上に形成した真空吸着前の状態指示図である。
【図６】本考案は吸着面上に形成した真空吸着時の状態指示図である。
【図７】本考案は真空を形成した別の実施例構造断面図である。
【図８】図７実施例構造が吸着面上で形成した真空吸着前の状態指示図である。
【図９】図７実施例構造が吸着面上で形成した真空吸着時の状態指示図である。
【図１０】本考案は吸盤体の滑動防止構造の断面図である。
【図１１】本考案は吸盤体の滑動防止の状態指示図である。
【考案を実施するための形態】
【００１２】
本考案の主な目的は重複使用に有利な真空固定具を提供することで、それは以下を含む。
【００１３】
引張部品は、剛性材で製造され，引桿を備え、該引桿の一端は引板体を成形する。
【００１４】
吸盤部品は、吸盤体及び密封止め丸枠体を含む。該吸盤体について、該引張部品のプラスチック金型内に設置し、フレキシブル弾性高分子材で該引張部品の引板体上で射出成型した柔性盤形弾性体であり、該引板体を被覆する被覆部を備え，該被覆部の下縁には外に広がる盤面部が成形され、該盤面部周辺外縁には結合辺部及び底面に成形する吸着面部を設置する。該密封止め丸枠体は、該プラスチック金型内にあり、ポリスチレン系弾性体TPS(Thermoplastic Styrene Elastomer)材で該吸盤体の結合辺部上で二度射出成型した硬度がShore C 20〜30度の柔軟高伸長率弾性枠体であり、該結合辺部表面周辺縁を被覆して結合する上枠部、側枠部及び底枠部を備える。且つ該上枠部の上表面は受圧面を成形し、該底枠部の下表面は該吸盤体の吸着面部周辺縁外部に位置する密封貼着面を成形する。
【００１５】
プレス部品は、硬質材で製造した高強度カップ形体であり、底部は該密封止め丸枠体の受圧面に相対し、該受圧面で該上枠部上に合わせるプレス面部を設置する。該プレス面部の内縁は該吸盤体を収納する收納室を形成し、該收納室の上方には該引張部品の引桿を挿入する穿孔を穿設し，該穿孔と該吸盤体の被覆部の間には活動空間を形成する。
【００１６】
強固定操作部品は、該プレス部品の外部上端に設置し、該穿孔外の引張部品の引桿と連接する。
【００１７】
強固定操作部品の端がプレス部品を帯同し吸著表面に向けて下圧動作した時、吸盤部品の吸盤体の吸着面部及び密封止め丸枠体の密封貼着面は、吸着面上に貼着して外部空気が吸盤体内部に進入するのを遮断する。強固定操作部品を操作するだけで、引張部品の引桿を穿孔の外上向きに移動させる。即ち、吸盤体の被覆部によって引桿が引っ張られた時の盤面部は拡張変形し、吸盤体と吸着面の間に真空吸着作用を形成し、且つ盤面部が拡張変形した後の回復弾性反作用力は、引桿作用を通じて強固定操作部品上でプレス部品が下圧力を発し、更にプレス部品のプレス面部が該密封止め丸枠体の上枠部上で加圧され、密封貼着面が吸着面にしっかりと接触する。たとえ吸着面にヒビもしくは鋸刃紋があってもすべては圧縮された底枠部によって満たされ、吸盤体が良好な真空吸着状態下、吸着面上で固定され続ける。全体構造として、吸盤体の盤面部周辺に成形した結合辺部が密封止め丸枠体を被覆して結合する相互補完作用によって、真空固定器が吸着面上において位置交換もしくは新たに固定もしくは異なる吸着面上において重複固定使用する際、結合辺部が柔らかい密封止め丸枠体内部で支持を形成し，密封止め丸枠体の形体と効果を長期的に維持する。特に密封止め丸枠体の密封貼着面を吸着面から離す時吸盤体の結合辺部を連動し，更に真空固定器を使用しない時には，密封止め丸枠体の外縁部分角箇所を弾く操作をするだけで，吸盤体内部に直接空気が進入し，真空固定器を吸着面上から剥がす過程の操作簡便性が向上する。
【００１８】
そのうち、該吸盤部品の吸盤体の盤面部外縁に形成した該結合辺部は、逆Ｌ字形体で設置し、該密封止め丸枠体は該結合辺部上で被覆結合し，掛合部を備え、該掛合部は該結合辺部の後縁端面上で掛合して脱離制限を形成し、密封止め丸枠体を長時間安定して吸盤体結合辺部上で被覆して固定し、外れにくくする重複使用に有利な真空固定具を提供することを本考案の次の一目的とする。
【００１９】
そのうち、該吸盤部品の吸盤体は、熱可塑性弾性体TPE(Thermoplastic elastomer)材から射出成型した盤形弾性体であり、硬度がShore A 70〜90度の被覆部、盤面部及び結合辺部を備え，該密封止め丸枠体は該結合辺部上で二度射出成型する。該密封止め丸枠体の材質はスチレン系TPEであることから、成型過程において部分盤面部及び結合辺部全体との間に結合性相互接着を形成し、密封止め丸枠体が結合辺部上でしっかりと被覆して固定し、永久的に外れない効果を達成する重複使用に有利な真空固定具を提供することを本考案の更に他の一目的とする。
【００２０】
そのうち、該密封止め丸枠体の底枠部の下表面は、該密封貼着面から外向きに突出して一個以上の凸体を備える。該凸体が吸着面上で強圧し底枠部の圧縮緊密度を高めることで、密封止め丸枠体の密封止め能力が向上し、更に凸体が圧縮変形した後の弾性回復能力もしくは快速反応能力によって、密封貼着面が吸着面から離す時の操作便利性を高める重複使用に有利な真空固定具を提供することを本考案の別の一目的とする。
【００２１】
そのうち、該吸盤部品の吸盤体盤面部外縁に形成した該結合辺部上は該密封止め丸枠体の上枠部を通過し、該プレス面部外向きに伸びる引張片を設置する。該引張片の引っ張り動作に拠って、密封止め丸枠体の部分密封貼着面及び吸盤体的の部分吸着面部が同時に連動して吸着面から離れ、真空固定器が吸着面上から簡単に外れる重複使用に有利な真空固定具を提供することを本考案の更に別の一目的とする。
【００２２】
そのうち、該引張部品の引桿一端は該プレス部品の穿孔から挿入して出し，該引桿の該穿孔の端身部は外ネジ紋部を設置し，且つ該強固定操作部品は回転ノブ形体として設置し，一端は該プレス部品の端部と接触し，内部は該外ネジ紋部の部分と螺合する内ネジ孔を設置する。回転する内ネジ孔が動かない外ネジ紋部上で引桿を内ネジ孔内へ位置移動させることによって、強固定操作部品が回転操作した時、可通過引桿を通じて吸盤体の被覆部を起こし、盤面部が拡張変形し、同時にプレス部品上で下圧の作用力を起こす重複使用に有利な真空固定具を提供することを本考案の更に他の一目的とする。
【００２３】
そのうち、該引張部品の引桿は、該プレス部品の穿孔に挿入し，該挿入端桿体上には枢設孔を設置し，且つ該強固定操作部品は回転ハンドル体形体として設置し，該枢設孔と偏心枢設し、該プレス部品の穿孔外部に接触する偏心輪部を備える。該偏心輪部が該プレス部品の穿孔外部上で回転し偏心で引桿を帯同し該穿孔外向きに伸び、強固定操作部品を回転させることで、引桿を通過して吸盤体の被覆部を引き上げ、盤面部が拡張変形し、更に同時にプレス部品上で下圧の作用力が生まれる重複使用に有利な真空固定具を提供することを本考案の更に次の一目的とする。
【００２４】
そのうち、該吸盤部品の吸盤体の盤面部背面は、該結合辺部に隣接し、該密封止め丸枠体を同心環状で多数個通過し、該上枠部のプレス凸塊として突出する。且つ該プレス部品の底部のプレス面部内縁は該多数個のプレス凸塊に相対し、多数個の限定凹槽を設置し、該限定凹槽から該プレス凸塊の一端を入れて定位させ、強固定操作部品が操作吸盤体を真空吸着作用させた時、強固定操作部品はプレス部品が発する下圧力に対して、即ち限定凹槽の槽壁によってプレス凸塊に対して圧迫し、吸盤体の吸着面部の滑動を防止し、吸盤体が吸着面上の吸着能力を高める重複使用に有利な真空固定具を提供することを本考案の更に次の一目的とする。
【実施例１】
【００２５】
本考案は、上述の目的を達成するため、実施例を挙げ、図式とともに以下に説明する。
【００２６】
一種の重複使用に有利な真空固定具は、図１、２、３、４に示すとおり、以下を含む。
【００２７】
引張部品１０は、ポリオキシメチレンPOM(Polyoxymethylene)によって、剛性のプラスチック材に製造し、引桿１１を備える。該引桿１１の一端には引板体１２を成形する。
【００２８】
吸盤部品２０は、吸盤体２１及び密封止め丸枠体２２を含む。該吸盤体２１は該引張部品１０のプラスチック金型（図未提示）内に設置し、フレキシブル弾性高分子（プラスチック）材料で該引張部品１０の引板体１２上に射出成型した柔性盤形弾性体で、該引板体１２を被覆する被覆部２１０を備える。該被覆部２１０の下縁は、盤面部２１１を外広がりで成形し、該盤面部２１１周辺外縁は結合辺部２１２及び底面に成形した吸着面部２１３を設置する。該密封止め丸枠体２２は該プラスチック金型（図未提示）内に於いて、ポリスチレン系弾性体TPS(Thermoplastic Styrene Elastomer)ゴム、プラスチック材料を用い、該吸盤体２１の結合辺部２１２上で二回射出して成型した硬度はShore C 20〜30度の柔軟高伸長率の弾性枠体であり、該結合辺部２１２表面周辺縁で被覆結合する上枠部２２０、側枠部２２１及び底枠部２２２を備える。更に該上枠部２２０の上表面には受圧面２２３を成形し、該底枠部２２２の下表面には該吸盤体２１吸着面部２１３周辺縁外部の位置に密封貼着面２２４を成形する。
【００２９】
プレス部品３０は、ABS(Acrylonitrile butadiene styrene)硬質樹脂材料で製造した高強度カップ形体であり、底部は該密封止め丸枠体２２の受圧面２２３（形体面積）に相対し、該受圧面２２３によって該上枠部２２０上に接触して貼着するプレス面部３１を設置する。該プレス面部３１の内縁は，該吸盤体２１を収納する收納室３２を成形し、該收納室３２の上方には該引張部品１０引桿１１を差し込む穿孔３３を穿設し、該穿孔３３と該吸盤体２１の被覆部２１０の間には活動空間３４を形成する。
【００３０】
強固定操作部品４０は、該プレス部品３０の穿孔３３外部上端に当て、該穿孔３３外の引張部品１０引桿１１と連接し、プレス部品３０上で作動し、引桿１１を穿孔３３外まで伸ばす。
【００３１】
図５に示すとおり、強固定操作部品４０の端がプレス部品３０（全体）を伴い吸着面５０に向かって下圧動作した時、吸盤部品２０の吸盤体２１の吸着面部２１３及び密封止め丸枠体２２の密封貼着面２２４は、吸着面５０上に貼り付いて外部空気を遮断して吸盤体２１（中心）内部に入る。図６に示すとおり、強固定操作部品４０の操作をするだけで引張部品１０の引桿１１を穿孔３３外へ動かして上移動する。即ち、吸盤体２１の被覆部２１０によって引桿１１（引板体１２）が引っ張られる時の盤面部２１１が拡張して（体積が拡大する）変形し、吸盤体２１と吸着面５０の間に真空吸着作用が形成され、且つ盤面部２１１の拡張変形後の弾力回復作用力によって、引桿１１作用が強固定操作部品４０上でプレス部品３０に対し下圧（下拉）する力が生まれ、更に使プレス部品３０のプレス面部３１によって該密封止め丸枠体２２の上枠部２２０で加圧し、密封貼着面２２４が吸着面５０をしっかりと吸着し、たとえ吸着面５０が細いひび、もしくは鋸刃紋があっても，圧縮（圧迫）された底枠部２２２がしっかりと覆うため、吸盤体２１を良好な真空吸着状態で有効に保持し吸着面５０上固定する。図３、４のとおり、全体構造は、吸盤体２１の盤面部２１１周辺に成形した結合辺部２１２が密封止め丸枠体２２を被覆して結合する（構造と材質）相互補完作用により、また図３、５、６に示すとおり、真空固定器の吸着面５０上において位置交換もしくは新たに固定もしくは異なる吸着面５０上において重複固定使用する際、結合辺部２１２は柔軟な密封止め丸枠体２２内部において外力変形支持することで、密封止め丸枠体２２の形体と效用が長期間有効に維持される。特に指密封止め丸枠体２２の密封貼着面２２４外力で吸着面５０から離れた時、吸盤体２１の結合辺部２１２を連動し、更に真空固定器を使用しない時、密封止め丸枠体２２の側枠部２２１外縁部分角箇所を弾く操作をするだけで、空気が吸盤体２１内部（吸着面部２１３内縁）に直接進入し、真空状態もしくは吸着力が解除され、真空固定器を吸着面５０から離す過程において、操作の簡便性が向上する。
【００３２】
上述の実施例に於いて、図３、４に示すとおり、該吸盤部品２０の吸盤体２１盤面部２１１外縁に形成した該結合辺部２１２は、逆Ｌ字形体で設置し、該密封止め丸枠体２２は該結合辺部２１２上で被覆して結合し、掛合部２２５を備える。更に該掛合部２２５によって該結合辺部２１２の後縁端面上で掛合し脱離制限を形成することで、密封止め丸枠体２２が長時間安定もしくは均整に吸盤体２１の結合辺部２１２上で被覆して固定し、吸盤体２１の盤面部２１１が外れにくくなる。
【００３３】
上述の実施例に基づき、そのうち図１、３、４に示すとおり、該吸盤部品２０の吸盤体２１は、熱塑性弾性体TPE(Thermoplastic elastomer)材を射出成型した盤形弾性体であり、硬度がShore A 70〜90度の被覆部２１０、盤面部２１１及び結合辺部２１２を備える。該密封止め丸枠体２２は該結合辺部２１２上で二度射出成型し、該密封止め丸枠体２２の材質がスチレン系TPEであることから、成型過程において部分盤面部２１１及び整個結合辺部２１２が結合性相互接着（粘着）を形成し、密封止め丸枠体２２を結合辺部２１２上でしっかりと被覆固定し、永久的に外れない効果を達成する。
【００３４】
上述の実施例に基づき、そのうち、図３、４に示すとおり、該密封止め丸枠体２２の底枠部２２２下表面は、該密封貼着面２２４から外向きに（下向きに）から突出して一個以上の凸体２２６を設置する。図３、６に示すとおり、該凸体２２６が吸着面５０上で底枠部２２２をきつく押圧して圧縮緊密度が上がることにより、密封止め丸枠体２２の密封止め能力が向上し、更に凸体２２６の圧縮変形後の弾性回復能力もしくは快速反応能力によって、密封貼着面２２４が吸着面５０を離れる時の操作便利性が向上する。
【００３５】
上述の実施例に基づき、そのうち図１、３に示すとおり、該吸盤部品２０の吸盤体２１の盤面部２１１外縁に形成した該結合辺部２１２上は該密封止め丸枠体２２の上枠部２２０、並びに該プレス面部３１外向きに延びた引張片２１４を設置する。図３、６に示すとおり、該引張片２１４の引張動作によって、部分密封貼着面２２４及び吸盤体２１の部分吸着面部２１３が同時に連動して吸着面５０から離れ、真空固定器の吸着面５０からの取り外し動作が簡易に完成する。
【００３６】
上述の実施例に基づき、そのうち図１、３に示すとおり、該引張部品１０の引桿１１一端は、該プレス部品３０の穿孔３３に挿入し、該穿孔３３に挿入する該引桿１１の端身部には外ネジ紋部１３を設置し、且つ該強固定操作部品４０は、回転ノブ形体で設置し、一端は該プレス部品３０の端部と接触し、内部は該外ネジ紋部１３部分と螺合する内ネジ孔４１を設置する。図３、５、６に示すとおり、回転する内ネジ孔４１が動かない外ネジ紋部１３上で引桿１１を内ネジ孔４１端内部へ位置移動することで、強固定操作部品４０が回転操作する時、引桿１１が吸盤体２１の被覆部２１０を引き上げ、盤面部２１１が拡張して変形し（真空状態を形成する）、同時にプレス部品３０上で下圧（密封止め丸枠体２２に対して圧迫する）の作用力を起こす。
【実施例２】
【００３７】
上述の実施例に基づき、以下は別の一実施例であり、吸盤体の被覆部によって盤面部真空状態を形成する。そのうち、図７に示すとおり、該引張部品１０Ａの引桿１１Ａは、該プレス部品３０Ａの穿孔３３Ａに挿入し、該挿入端桿体上には枢設孔１４を穿設し、且つ該強固定操作部品４０Ａは回転ハンドル体形体として設置し、該枢設孔１４と偏心枢接して該プレス部品３０Ａ穿孔３３Ａ外部端面上で接触する偏心輪部４２を備える。図８、９に示すとおり、該偏心輪部４２を回転して該プレス部品３０Ａ穿孔３３Ａ外部端面上で引桿１１Ａを偏心帯同して該穿孔３３Ａ外向きに上がることによって、強固定操作部品４０Ａが回転操作した時、引桿１１Ａが吸盤体２１の被覆部２１０を引き上げ、盤面部２１１が拡張変形し（真空状態を形成する）、並びに同時にプレス部品３０Ａ上で下圧（密封止め丸枠体２２に対して圧迫する）の作用力が起こる。
【００３８】
上述の実施例に基づき、そのうち図１、１０に示すとおり、該吸盤部品２０の吸盤体２１盤面部２１１背面は、該結合辺部２１２に隣接し、同心環状で該密封止め丸枠体２２を多数個通過し，該上枠部２２０のプレス凸塊２１５として突出する。且つ該プレス部品３０底部のプレス面部３１内縁は、該多数個のプレス凸塊２１５に相対するよう、多数個の限定凹槽３５を設置し、該限定凹槽３５によって該プレス凸塊２１５の一端を入れて定位する。図１１に示すとおり、強固定操作部品４０が吸盤体２１を操作して真空吸着作用を形成する時、強固定操作部品４０はプレス部品３０が発した下圧力により、限定凹槽３５の槽壁がプレス凸塊２１５に対して圧迫することで、吸盤体２１の吸着面部２１３が滑動するのを防止し、吸盤体２１の吸着面５０上の吸着能力を高める。
【００３９】
以上の説明から、本考案の説明が制限するものではなく、当領域の一般技術者が理解できるようにしているが、説明が限定する精神的範囲の下、多くの修正、変化もしくは同効果も本考案の請求範囲に含まれるものとする。
【符号の説明】
【００４０】
１０        引張部品
１０Ａ      引張部品
１１        引桿
１１Ａ      引桿
１２        引板体
１３        外ネジ紋部
１４        枢設孔
２０        吸盤部品
２１        吸盤体
２１０        被覆部
２１１        盤面部
２１２        結合辺部
２１３        吸着面部
２１４        引張片
２１５        プレス凸塊
２２        密封止め丸枠体
２２０        上枠部
２２１        側枠部
２２２        底枠部
２２３        受圧面
２２４        密封貼着面
２２５        掛合部
２２６        凸体
３０        プレス部品
３０Ａ      プレス部品
３０Ｂ      圧盤
３０Ｃ      面蓋
３１        プレス面部
３２        收納室
３３        穿孔
３３Ａ      穿孔
３４        活動空間
３５        限定凹槽
４０        強固定操作部品
４０Ａ      強固定操作部品
４１        内ネジ孔
４２        偏心輪部
５０        吸着面
【図１】
0003209497.tif 000003
【図２】
0003209497.tif 000004
【図３】
0003209497.tif 000005
【図４】
0003209497.tif 000006
【図５】
0003209497.tif 000007
【図６】
0003209497.tif 000008
【図７】
0003209497.tif 000009
【図８】
0003209497.tif 000010
【図９】
0003209497.tif 000011
【図１０】
0003209497.tif 000012
【図１１】
0003209497.tif 000013
【手続補正書】
【提出日】平成29年1月19日(2017.1.19)
【手続補正１】
【補正対象書類名】実用新案登録請求の範囲
【補正対象項目名】全文
【補正方法】変更
【補正の内容】
【実用新案登録請求の範囲】
【請求項１】
重複使用に有利な真空固定具において、
剛性材で製造され、引桿を備え、該引桿の一端は引板体を成形する引張部品と、
吸盤体及び密封止め丸枠体を含み、該吸盤体は、該引張部品のプラスチック金型内に設置し、フレキシブル弾性高分子材料によって該引張部品の引板体上で射出成型した柔性盤形弾性体は、該引板体を被覆する被覆部を備え、該被覆部の下縁外には盤面部を成形し、該盤面部周辺外縁には結合辺部及び底面に成形する吸着面部を設置し、また、該密封止め丸枠体は該プラスチック金型で、ポリスチレン系弾性体TPS(Thermoplastic Styrene Elastomer)材料を該吸盤体の結合辺部上で二回射出成型した硬度はShore C 20~30度の柔軟高伸長率弾性枠体であり、該結合辺部の表面周辺縁で被覆結合した上枠部、側枠部及び底枠部を備え、且つ該上枠部の上表面には受圧面を成形し、また該底枠部の下表面は該吸盤体の吸着面部の周辺縁外部に密封貼着面を成形する吸盤部品と、
硬質材で製造した高強度カップ形体で、底部は該密封止め丸枠体の受圧面に相対し、該受圧面から該上枠部上で合うプレス面部を設置し、該プレス面部の内縁は，該吸盤体を収納する収納室を形成し、該収納室の上方には該引張部品の引桿を挿入する穿孔を穿設し、
該穿孔と該吸盤体の被覆部の間には活動空間を形成するプレス部品と、
該プレス部品の外部上端に当たり、該穿孔の外部の引張部品の引桿と連接する強固定操作部品を含むことを特徴とする重複使用に有利な真空固定具。
【請求項２】
前記吸盤部品の吸盤体の盤面部外縁に形成した該結合辺部は、逆Ｌ字形体で設置し，該密封止め丸枠体は該結合辺部上で被覆結合し、掛合部を備え、該掛合部が該結合辺部の後縁端面上で掛合して脱離制限を形成することを特徴とする請求項１記載の重複使用に有利な真空固定具。
【請求項３】
前記吸盤部品の吸盤体は、熱可塑性弾性体TPE(Thermoplastic elastomer)材から射出成型した盤形弾性体であり、硬度がShore A 70〜90度の被覆部、盤面部及び結合辺部を備え、該密封止め丸枠体は該結合辺部上で二度射出成型することを特徴とする請求項１記載の重複使用に有利な真空固定具。
【請求項４】
前記密封止め丸枠体の底枠部の下表面は、該密封貼着面から外向きに突出して一個以上の凸体を備えることを特徴とする請求項１記載の重複使用に有利な真空固定具。
【請求項５】
前記吸盤部品の吸盤体盤面部外縁に形成した該結合辺部上には、該密封止め丸枠体の上枠部を通過し、該プレス面部外向きに伸びる引張片を設置することを特徴とする請求項１記載の重複使用に有利な真空固定具。
【請求項６】
前記引張部品の引桿一端は該プレス部品の穿孔から挿入して出し、該引桿の該穿孔の端身部は外ネジ紋部を設置し、且つ該強固定操作部品は回転ノブ形体として設置し、一端は該プレス部品の端部と接触し、内部は該外ネジ紋部の部分と螺合する内ネジ孔を設置することを特徴とする請求項１記載の重複使用に有利な真空固定具。
【請求項７】
前記引張部品の引桿は、該プレス部品の穿孔に挿入し、挿入した該引桿には枢設孔を設置し、且つ該強固定操作部品は回転ハンドル体形体として設置し、該枢設孔と偏心枢設し、該プレス部品の穿孔外部に接触する偏心輪部を備えることを特徴とする請求項１記載の重複使用に有利な真空固定具。
【請求項８】
前記吸盤部品の吸盤体盤面部背面は、該結合辺部に隣接し、該密封止め丸枠体を同心環状で多数個通過し、該上枠部のプレス凸塊として突出し、且つ該プレス部品の底部のプレス面部内縁は、該多数個のプレス凸塊に相対し、多数個の限定凹槽を設置し、該限定凹槽から該プレス凸塊の一端を入れて定位させることを特徴とする請求項１記載の重複使用に有利な真空固定具。